(57)【要約】【課題】画像処理装置から、時差のある地域に設置されている他の情報処理端末へ画像ファイルを送信する際に、それに付加して送信する日時情報を、送信先の情報処理端末で計時（設定）されている現在日時に基づいて設定することができるようにする。【解決手段】ネットワークＮＷを介して画像ファイルＩＭＧを送信する画像処理装置１に、送信元の日時と送信先の日時との時差であるユーザ間時差ＬＴＤ１を取得するユーザ間時差算出部１０４と、画像ファイルＩＭＧを取得してから送信先へ送信するまでの間の所定の時点についての送信元の日時をユーザ間時差ＬＴＤ１に基づいて送信先の日時に変換し、変換した日時である送信先日時ＡＴ２を画像ファイルＩＭＧに付加して送信先へ送信する画像ファイル送信部１０７と、を設ける。【選択図】図３
2010273003.tif 000002
【特許請求の範囲】
【請求項１】
ネットワークを介して画像データを送信する画像データ送信装置であって、
送信元の日時と送信先の日時との時差を取得する時差取得手段と、
前記画像データを取得してから前記送信先へ送信するまでの間の所定の時点についての前記送信元の日時を前記時差に基づいて前記送信先の日時に変換し、当該変換した日時を前記画像データに付加して前記送信先へ送信する画像データ送信手段と、
を有することを特徴とする画像データ送信装置。
【請求項２】
前記送信先は情報処理端末であり、
前記時差取得手段は、前記画像データ送信装置に設定されている日時と前記情報処理端末に設定されている日時との差に基づいて前記時差を取得する、
請求項１記載の画像データ送信装置。
【請求項３】
前記ネットワーク上にはサーバが設けられており、
前記時差取得手段は、前記画像データ送信装置に設定されている日時と前記サーバに設定されている日時との差、および前記サーバに設定されている日時と前記情報処理端末に設定されている日時との差に基づいて前記時差を取得する
請求項１または２記載の画像データ送信装置。
【請求項４】
前記所定の時点は前記画像データを取得した時点である、
請求項１ないし３のいずれかに記載の画像データ送信装置。
【請求項５】
画像データ送信装置によりネットワークを介して画像データを情報処理端末へ送信する画像データ送信方法であって、
前記画像データ送信装置に、
送信元の日時と送信先の日時との時差を取得する処理と、
前記画像データを取得してから前記送信先へ送信するまでの間の所定の時点についての前記送信元の日時を前記時差に基づいて前記送信先の日時に変換し、当該変換した日時を前記画像データに付加して前記送信先へ送信する処理と、
を実行させることを特徴とする画像データ送信方法。
【請求項６】
ネットワークを介して画像データを情報処理端末へ送信する画像データ送信装置に用いられるコンピュータプログラムであって、
送信元の日時と送信先の日時との時差を取得する処理と、
前記画像データを取得してから前記送信先へ送信するまでの間の所定の時点についての前記送信元の日時を前記時差に基づいて前記送信先の日時に変換し、当該変換した日時を前記画像データに付加して前記送信先へ送信する処理と、
を実行させることを特徴とするコンピュータプログラム。
【発明の詳細な説明】
【技術分野】
【０００１】
本発明は、ネットワーク経由で画像データを送信する装置などに関する。
【背景技術】
【０００２】
近年、コピー、ネットワークプリンティング（ＰＣプリント）、スキャナ、ファックス、およびドキュメントサーバなどの様々な機能を備えた「複合機」または「ＭＦＰ（Multi Function Peripherals）」などと呼ばれる画像処理装置が普及している。
【０００３】
このような画像処理装置は、ドキュメントの画像をスキャンするなどして、ＪＰＥＧ（Joint Photographic Experts Group）、ＧＩＦ（Graphics Interchange Format）、ＴＩＦＦ（Tagged Image File Format）、ＰＤＦ（Portable Document Format）などの画像ファイルを生成し、ネットワーク経由で他の情報処理端末へ送信する機能を備えている。
【０００４】
さて、他の情報処理端末へ画像ファイルを送信する際に、その画像ファイルの属性情報（ファイル情報）を付加して送信することがある。そのような属性情報の１つとして、画像ファイルを生成した日時などを示す日時情報（タイムスタンプ）がある。
【０００５】
ここで、日時情報は、送信元の画像処理装置で計時されている現在の日時（現在日時）に基づいて設定される。そのため、送信元の画像処理装置が設置されている地域および送信先の情報処理端末が設置されている地域のそれぞれで採用されている標準時が異なる（時差がある）場合、日時情報は情報処理端末で計時されている現在日時に整合した情報とならないことがある。このような不整合が生じると、受信した画像ファイルを情報処理端末において管理する上で不便である。
【０００６】
類似した問題として、従来より、ファクシミリにおいて送信画に付加する発信元の時刻に送信側の時間をそのままつけているために、時差のある地域に原稿を送信した時には、受信側で受けた記録画に付加されている時刻は送信側の標準時における現在時刻であって、受信側の標準時における現在時刻とはずれているために、いつ送信されてきたのかを知るためには送信側との時差を考えて計算しなければならないという課題があった（特許文献１）。
【０００７】
特許文献１では、発呼先の電話番号からそれが国際通信であると判別した場合に、送信画に付加する時刻を受信側の時刻に変換して付加することで、この課題を解決している。
【先行技術文献】
【特許文献】
【０００８】
【特許文献１】特開平５−１６７７４４号公報
【発明の概要】
【発明が解決しようとする課題】
【０００９】
上述の通り、画像処理装置から、時差のある地域に設置されている他の情報処理端末へ画像ファイルが送信される際に、それに付加されて送信される日時情報が、送信元の画像処理装置で計時（設定）されている現在日時に基づいて設定されると、受信した画像ファイルを情報処理端末において管理する上で不便である。例えば、情報処理端末のファイル管理システムによって、そのような日時情報が、受信した画像ファイルについての「生成日時」または「更新日時」などの日時に関する属性情報（ファイル情報）に反映される場合、受信した画像ファイルと他の画像ファイルなどとについて、それらに関連付けられている「生成日時」または「更新日時」などに示される順序で並び替えて表示させたとき、それらのファイルの並び順は、意図する時間的な順序とならないことがある。
【００１０】
ファクシミリによる送受信であれば、特許文献１に示されるように、発呼先の電話番号に基づいて送信側と受信側との間の時差を算出することができるため、送信側の時刻を受信側の時刻に変換することができる。しかしながら、画像処理装置から他の情報処理端末へＳＭＢプロトコルなどを用いて画像ファイルを送信しようとする場合、そのような変換は行われない。
【００１１】
本発明は、このような問題点に鑑み、画像処理装置から、時差のある地域に設置されている他の情報処理端末へ画像ファイルを送信する際に、それに付加して送信する日時情報を、送信先の情報処理端末で計時（設定）されている現在日時に基づいて設定することを目的とする。
【課題を解決するための手段】
【００１２】
本発明に係る画像データ送信装置は、ネットワークを介して画像データを送信する画像データ送信装置であって、送信元の日時と送信先の日時との時差を取得する時差取得手段と、前記画像データを取得してから前記送信先へ送信するまでの間の所定の時点についての前記送信元の日時を前記取得した時差に基づいて前記送信先の日時に変換し、当該変換した日時を前記画像データに付加して前記送信先へ送信する画像データ送信手段と、を有する。
【００１３】
好ましくは、前記送信先は情報処理端末であり、前記時差取得手段は、前記画像データ送信装置に設定されている日時と前記情報処理端末に設定されている日時との差に基づいて前記時差を取得する。
【００１４】
より好ましくは、前記ネットワーク上にはサーバが設けられており、前記時差取得手段は、前記画像データ送信装置に設定されている日時と前記サーバに設定されている日時との差、および前記サーバに設定されている日時と前記情報処理端末に設定されている日時との差に基づいて前記時差を取得する。
【００１５】
より好ましくは、前記所定の時点は前記画像データを取得した時点である。
【発明の効果】
【００１６】
本発明によれば、画像処理装置から、時差のある地域に設置されている他の情報処理端末へ画像ファイルを送信する際に、それに付加して送信する日時情報を、送信先の情報処理端末で計時（設定）されている現在日時に基づいて設定することができる。
【図面の簡単な説明】
【００１７】
【図１】画像データ送受信システムの全体的な構成の例を示す図である。
【図２】画像処理装置のハードウェア構成の例を示す図である。
【図３】画像処理装置の機能的構成の例を示すブロック図である。
【図４】ユーザ情報管理テーブルの例を示す図である。
【図５】画像ファイル送信処理の流れの例を示すフローチャートである。
【図６】ユーザ間時差を保持する処理の流れの例を示すフローチャート
【図７】画像ファイルに送信先日時を付加して送信する処理の流れの例を示すフローチャートである。
【図８】ファイル管理テーブルの例を示す図である。
【図９】ファイル一覧画面の例を示す図である。
【図１０】画像データ送受信システムの全体的な構成の例を示す図である。
【図１１】画像処理装置の機能的構成の例を示すブロック図である。
【図１２】ディレクトリサーバが管理するログイン履歴テーブルの一例を示す図である。
【図１３】ユーザ間時差を保持する処理の流れの例を示すフローチャートである。
【発明を実施するための形態】
【００１８】
〔第一の実施形態〕
図１は画像データ送受信システムＳＹ１の全体的な構成の例を示す図、図２は画像処理装置１のハードウェア構成の例を示す図である。
【００１９】
図１に示すように、画像データ送受信システムＳＹ１は、画像処理装置１およびクライアント端末２がネットワークＮＷに接続されて構成されている。ネットワークＮＷには、そのほか各種サーバなどの他の情報処理装置が接続される場合もある。
【００２０】
本実施形態では、それぞれの標準時に差のある（時差のある）拠点ＲＥＧ１ないしＲＥＧ３を有する組織に設けられる画像データ送受信システムＳＹ１を例に説明する。
【００２１】
図１に示すように、クライアント端末２Ａは拠点ＲＥＧ１に設置されており、画像処理装置１およびクライアント端末２Ｂは拠点ＲＥＧ２に設置されており、クライアント端末２Ｃは拠点ＲＥＧ３に設置されている。これらの装置は、それぞれネットワークＮＷによって相互に結ばれている。今後、各クライアント端末２を「クライアント端末２Ａ」、「クライアント端末２Ｂ」、「クライアント端末２Ｃ」と区別して記載することがある。
【００２２】
ネットワークＮＷは、各拠点内ではＬＡＮ（Local Area Network）などによって構築され、各拠点間では専用線またはＶＰＮ（Virtual Private Network）などによって構築される。それぞれ、通信プロトコルとしてＴＣＰ／ＩＰなどが用いられる。また、ネットワークＮＷは、ゲートウェイなどを経由してインターネットに接続可能な場合もある。
【００２３】
画像処理装置１は、コピー、ネットワークプリンティング（ＰＣプリント）、スキャナ、ファックス、ドキュメントサーバなどの様々な機能が集約された装置である。「複合機」または「ＭＦＰ（Multi Function Peripherals）」などと呼ばれることもある。特に本実施形態では、ドキュメントの画像をスキャンするなどして画像データを生成し、ヘッダおよびフッタなどを付加してファイル化し、ネットワークＮＷを介してクライアント端末２へ送信することができる。ユーザ（組織に属する者）は、画像データの送信先として、クライアント端末２Ａ〜２Ｃの中から１台または複数台を任意に選択することができる。なお、画像ファイルは、ＪＰＥＧ（Joint Photographic Experts Group）、ＧＩＦ（Graphics Interchange Format）、ＴＩＦＦ（Tagged Image File Format）、ＰＤＦ（Portable Document Format）などのファイル形式で生成され送信される。
【００２４】
図２に示すように、画像処理装置１は、ＣＰＵ（Central Processing Unit）１０ａ、ＲＡＭ（Random Access Memory）１０ｂ、ＲＯＭ（Read Only Memory）１０ｃ、補助記憶装置１０ｄ、制御用回路１０ｅ、操作パネル１０ｆ、ネットワークインタフェース１０ｇ、スキャナ１０ｈ、ＦＡＸモデム１０ｉ、印刷装置１０ｊ、および時計装置１０ｋなどによって構成される。
【００２５】
ＣＰＵ１０ａは、ＲＯＭ１０ｃまたは補助記憶装置１０ｄに格納されているプログラムおよびデータのほか外部から必要に応じて入力される種々のデータに基づいて、ＲＡＭ１０ｂをワークエリアとして演算処理を実行する。
【００２６】
補助記憶装置１０ｄは、電源を切ってもその記憶内容が保持される不揮発性の記憶装置である。補助記憶装置１０ｄとして、フラッシュメモリなどの半導体メモリまたはハードディスクなどの磁気記憶装置などが用いられる。補助記憶装置１０ｄには、画像ファイル、画像ファイルの属性情報（ファイル情報）、画像処理装置１に登録されたユーザに関する情報、画像ファイルの生成および送信の処理の条件、画像処理装置１に設定された名称およびＩＰアドレスなどの種々のデータおよび設定に関する情報が記憶される。
【００２７】
また、補助記憶装置１０ｄには、ＣＰＵ１０ａに実行させるプログラムおよびデータが記憶されることもある。この場合は、プログラムおよびデータは、必要に応じてＲＡＭ１０ｂにロードされる。
【００２８】
また、補助記憶装置１０ｄには、後述するファイル管理システムの機能によって「ボックス（ＢＯＸ）」と呼ばれる記憶領域が割り当てられる。これは、パーソナルコンピュータにおける「フォルダ」または「ディレクトリ」に相当するものであり、ドキュメントなどの画像ファイルをユーザまたはグループごとに保存し管理するための記憶領域である。
【００２９】
制御用回路１０ｅは、補助記憶装置１０ｄ、操作パネル１０ｆ、ネットワークインタフェース１０ｇ、スキャナ１０ｈ、ＦＡＸモデム１０ｉ、印刷装置１０ｊ、および時計装置１０ｋなどを制御するための回路である。なお、制御用回路１０ｅの機能の一部または全部をＣＰＵ１０ａに受け持たせるようにしてもよい。
【００３０】
操作パネル１０ｆは、タッチパネルおよびテンキーなどによって構成される。タッチパネルには、ユーザに対してメッセージを与えるための画面、ユーザに対して処理結果を示すための画面、およびユーザが処理の指示入力をするための画面などが表示される。ユーザは、タッチパネルに表示される操作ボタンまたはテンキーを操作することによって、画像処理装置１に対して、画像ファイルの生成および送信を指示したり、送信すべき画像ファイルを選択したり、送信先のクライアント端末２（または、そのクライアント端末２を使用するユーザ）を選択したり、生成および送信の処理の条件を設定したりすることができる。
【００３１】
ネットワークインタフェース１０ｇは、ネットワークＮＷに接続されている他の情報処理装置とＴＣＰ／ＩＰなどの通信プロトコルによって通信を行うためのインタフェースである。ネットワークインタフェース１０ｇとして、ＮＩＣ（Network Interface Card）などが用いられる。
【００３２】
スキャナ１０ｈは、原稿に記されている文字、写真、絵、図表などのドキュメントの画像を光学的に読み取って画像データを生成するための装置である。
【００３３】
ＦＡＸモデム１０ｉは、公衆回線網を介して他のＦＡＸ端末とＦＡＸプロトコルによって通信を行うための装置である。
【００３４】
印刷装置１０ｊは、スキャナ１０ｈによって生成された画像データがファイル化された画像ファイル、補助記憶装置１０ｄ内のボックスに保存されている画像ファイル、ネットワークＮＷに接続されている他の情報処理装置から受信した画像ファイル、または他のＦＡＸ端末から受信したデータにより生成された画像ファイルなどに基づいて画像を用紙に印刷するための装置である。
【００３５】
時計装置１０ｋは、画像処理装置１本体の電源を切っている間も内蔵電池などから電源の供給を受けて現在の日時（現在日時）を計時し続けるための回路である。「内蔵時計」または「リアルタイムクロック」などと呼ばれることもある。
【００３６】
図３は画像処理装置１の機能的構成の例を示すブロック図である。
【００３７】
画像処理装置１のＲＯＭ１０ｃには、図３に示すような、ユーザ情報管理部１０１、ユーザ認証部１０２、ユーザ設定日時取得部１０３、ユーザ間時差算出部１０４、画像ファイル取得部１０５、送信先情報作成部１０６、および画像ファイル送信部１０７などの各機能部を実現するためのプログラムが格納されており、ＣＰＵ１０ａによって実行される。または、それらのプログラムの一部または全部が補助記憶装置１０ｄに格納されていてもよい。その場合は必要に応じてＲＡＭ１０ｂに読み出されて実行される。
【００３８】
ＲＯＭ１０ｃまたは補助記憶装置１０ｄには、そのほかファイル管理システムの機能を実現するためのプログラムが記憶されている。ファイル管理システムの機能によると、補助記憶装置１０ｄを制御してそれらに記憶されるデータを論理的に管理することができる。例えば、補助記憶装置１０ｄ内に階層構造のファイルまたはボックスを作成したり、それらを移動または削除したり、それらの属性情報（ファイル情報）を作成したりすることができる。
【００３９】
なお、図３に示す各部の機能およびそのほかの機能の一部または全部が回路で実現されていてもよい。
【００４０】
図１に戻って、クライアント端末２は、現在の日時（現在日時）の計時、ファイル管理、静止画の再生または編集、およびネットワークを介したデータの送受信などの機能を備えた装置である。クライアント端末２として、パーソナルコンピュータなどが用いられる。特に本実施形態では、計時している現在日時を画像処理装置１へ送信したり、画像処理装置１からＪＰＥＧ、ＧＩＦ、ＴＩＦＦ、ＰＤＦなどの画像ファイルを受信したり、それらを保存し管理したり、それらを再生しまたは編集したりすることができる。クライアント端末２は、そのほか、文書作成、表計算、インターネットサイトの閲覧、メールの送受信、および動画の再生または編集などの機能を備える場合もある。クライアント端末２として、据置型（固定型）のものと携帯型（可搬型）のものとがある。
【００４１】
クライアント端末２は、ＣＰＵ、ＲＡＭ、ＲＯＭ、補助記憶装置、ディスプレイ、キーボード、ポインティングデバイス、ネットワークインタフェース、および時計装置などによって構成される。補助記憶装置には、計時している現在日時を送信したり、画像ファイルを受信したり、それらを保存し管理したり、それらを再生しまたは編集したりするためのプログラムが格納されており、ＣＰＵによって実行される。
【００４２】
第一の実施形態では、画像処理装置１は、図３に示す各機能部を連携させることによって、各ユーザが使用するクライアント端末２で計時されている現在日時であるユーザ現在日時ＬＴ２と、自己が計時している現在日時である自己現在日時ＬＴ１との時間差であるユーザ間時差ＬＴＤ１を算出し、算出したユーザ間時差ＬＴＤ１をユーザ情報管理テーブルＵＩＴに保持する。そして、各ユーザが使用するクライアント端末２へ画像ファイルＩＭＧを送信する際、画像ファイルを生成した日時を示す日時情報（タイムスタンプ）であってユーザ間時差ＬＴＤ１を考慮した送信先日時ＡＴ２を画像ファイルＩＭＧに関連付けて送信する。この一連の処理は、大別すると、ユーザ間時差ＬＴＤ１をユーザ情報管理テーブルＵＩＴに保持するフェーズと、送信先日時ＡＴ２を付加して画像ファイルＩＭＧを送信するフェーズとに分けられる。
【００４３】
まず、ユーザ間時差ＬＴＤ１をユーザ情報管理テーブルＵＩＴに保持するフェーズにおいて、図３に示す各機能部が果たす役割を、説明する。
【００４４】
図４はユーザ情報管理部１０１が管理するユーザ情報管理テーブルＵＩＴの例を示す図である。
【００４５】
ユーザ情報管理部１０１は、図４に示すようなユーザ情報管理テーブルＵＩＴを用いて、画像処理装置１に登録されている（画像ファイルＩＭＧの送信先となり得る）ユーザに関する情報を保持する。
【００４６】
ユーザ情報管理部１０１は、操作パネル１０ｆなどを介して、新規ユーザの登録の要求を受け付けると、補助記憶装置１０ｄに記憶されているユーザ情報管理テーブルＵＩＴに、そのユーザについての新たなレコードを追加する。１つのレコードは、ユーザ名ＵＩ１、パスワードＵＩ２、ホスト名ＵＩ３、時差ＵＩ４などのユーザに関する情報を格納する各フィールドから構成される。ユーザ名ＵＩ１には、登録されるユーザのユーザ名を設定する。パスワードＵＩ２には、登録されたユーザの認証を行うためのパスワードを設定する。ホスト名ＵＩ３には、ユーザ名Ｕ１１に示されるユーザ名を有するユーザが使用するクライアント端末２のホスト名を設定する。なお、ホスト名ＵＩ３の代わりにまたはそれに追加して、クライアント端末２に割り当てられているＩＰアドレスまたはＭＡＣアドレスなどのクライアント端末２を識別できる他の情報を設定するためのフィールドを設けてもよい。時差ＵＩ４には、画像処理装置１で計時されている現在日時とクライアント端末２で計時されている現在日時との時間差を設定する。ただし、新たなレコードを追加した時点では、時差ＵＩ４に有効な値が設定されなくてもよい。
【００４７】
ユーザ情報管理部１０１は、操作パネル１０ｆなどを介して、ユーザ情報管理テーブルＵＩＴに登録されている内容の変更の要求を受け付けると、適宜、ユーザ情報管理テーブルＵＩＴのフィールドＵＩ１〜ＵＩ４に格納されている値をユーザによって入力された情報などに基づいた値に更新する。さらに、時差ＵＩ４については、各ユーザが各クライアント端末２から画像処理装置１にログインするタイミングで、以下の手順によって算出されるユーザ間時差ＬＴＤ１を設定する。
【００４８】
最初に、ユーザ認証部１０２は、画像処理装置１にログインしようとするユーザを次のようにして認証する。
【００４９】
ユーザ認証部１０２は、ユーザがクライアント端末２から画像処理装置１にログインしようとする際、クライアント端末２からユーザ名およびパスワードなどの認証のための情報を受信し、それらとユーザ情報管理テーブルＵＩＴのユーザ名ＵＩ１およびパスワードＵＩ２などに格納されている内容とを照合する。照合の結果、ログインしようとするユーザが正規のユーザであることが確認できれば、ログインを許可する旨の通知を送信する。
【００５０】
前後してまたは同時に、ユーザ設定日時取得部１０３は、クライアント端末２からユーザ現在日時ＬＴ２を次にようにして取得する。
【００５１】
ユーザ設定日時取得部１０３は、ユーザ情報管理テーブルＵＩＴのユーザ名ＵＩ１にログインを許可したユーザのユーザ名が示されるレコードのホスト名ＵＩ３に格納されているホスト名を有するクライアント端末２へ、ユーザ現在日時ＬＴ２を問い合わせるためのユーザ設定日時問合せメッセージＴＲ２を送信する。
【００５２】
画像処理装置１からユーザ設定日時問合せメッセージＴＲ２を受信したクライアント端末２は、自己が計時している現在日時をユーザ現在日時ＬＴ２として返信する。
【００５３】
ユーザ設定日時取得部１０３は、クライアント端末２から受信したユーザ現在日時ＬＴ２をユーザ間時差算出部１０４に渡す。
【００５４】
ユーザ間時差算出部１０４は、ユーザ設定日時取得部１０３からユーザ現在日時ＬＴ２を受け取ると、ユーザ間時差ＬＴＤ１を次のようにして算出する。
【００５５】
ユーザ間時差算出部１０４は、画像処理装置１が計時している現在日時である自己現在日時ＬＴ１を時計装置１０ｋから取得する。そして、ユーザ現在日時ＬＴ２から自己現在日時ＬＴ１を減算し、自己現在日時ＬＴ１を基準とした時間差をユーザ間時差ＬＴＤ１として算出する。ここで、クライアント端末２がユーザ現在日時ＬＴ２を返信してから画像処理装置１がユーザ間時差ＬＴＤ１を算出するまでの時間を考慮したユーザ間時差ＬＴＤ１を算出するようにしてもよい。ユーザ間時差算出部１０４は、このようにして算出したクライアント端末２についてのユーザ間時差ＬＴＤ１をユーザ情報管理部１０１に渡す。
【００５６】
最後に、ユーザ情報管理部１０１は、ユーザ間時差算出部１０４からユーザ間時差ＬＴＤ１を受け取ると、ユーザ情報管理テーブルＵＩＴのホスト名ＵＩ３にそのユーザ間時差ＬＴＤ１が算出されたクライアント端末２のホスト名が示されるレコードの時差ＵＩ４にユーザ間時差ＬＴＤ１を設定する。ただし、既にそのレコードの時差ＵＩ４に今回設定しようとするユーザ間時差ＬＴＤ１と同じ値が格納されており、更新する必要がない場合は更新しなくてもよい。
【００５７】
ユーザ情報管理部１０１は、このようにして、画像処理装置１に登録された各ユーザが各クライアント端末２から画像処理装置１にログインするタイミングで、ユーザ情報管理テーブルＵＩＴにおいてそのユーザについての時差ＵＩ４に格納されている値を更新する。
【００５８】
次に、送信先日時ＡＴ２を付加して画像ファイルＩＭＧを送信するフェーズにおいて、図３に示す各機能部が果たす役割を、説明する。
【００５９】
図５は画像ファイル送信部１０７によって行われる画像ファイル送信処理の流れの例を示すフローチャートである。
【００６０】
画像ファイル取得部１０５は、操作パネル１０ｆなどを介して、原稿をスキャンして生成した画像データをクライアント端末２へ送信するメニュー（「ＳｃａｎＴｏＳＭＢ機能」）がユーザによって選択されると、原稿台にセットされた用紙をスキャナ１０ｈにスキャンさせることによって画像ファイルＩＭＧを取得する。同時に、画像処理装置１が計時している現在日時である自己現在日時ＬＴ１を時計装置１０ｋから取得し、取得した自己現在日時ＬＴ１を、画像ファイルＩＭＧを取得した日時を示す取得日時ＡＴ１に決定する。
【００６１】
送信先情報作成部１０６は、画像ファイル取得部１０５によって取得された画像ファイルＩＭＧの送信先となるユーザ名をまとめたリストである送信先ユーザリストＳＵＬを次のようにして作成する。
【００６２】
送信先情報作成部１０６は、ユーザ情報管理テーブルＵＩＴのユーザ名ＵＩ１に格納されているユーザ名の一覧を示す画面を操作パネル１０ｆなどに表示させ、一覧の中から、画像ファイルＩＭＧの送信先となる１人または複数人のユーザ名を選択するようユーザに促す。操作パネル１０ｆなどを介して、画像ファイルＩＭＧの送信先となる１人または複数人のユーザ名がユーザによって選択されると、それらの選択されたユーザ名をまとめたリストである送信先ユーザリストＳＵＬを画像ファイル送信部１０７に渡す。
【００６３】
画像ファイル送信部１０７は、次のようにして、画像ファイルＩＭＧに送信先日時ＡＴ２を付加して、それらを送信先ユーザリストに示されるユーザ名に対応するクライアント端末２へ送信する。
【００６４】
画像ファイル送信部１０７は、送信先情報作成部１０６から送信先ユーザリストＳＵＬを受け取ると、図５に示すように、送信先ユーザリストＳＵＬに示されるユーザ名を有する各ユーザごとに＃２０１〜＃２０５の処理を繰り返し行う。以下、＃２０１〜＃２０５の処理対象のユーザを着目ユーザとする。まず、ユーザ情報管理テーブルＵＩＴのユーザ名ＵＩ１に着目ユーザのユーザ名が示されるレコードの時差ＵＩ４に格納されている値を取得する（＃２０１）。そして、時差ＵＩ４に格納されている値が有効な値（ユーザ間時差ＬＴＤ１）であれば（＃２０２でＹｅｓ）、取得日時ＡＴ１に対して時差ＵＩ４に格納されている値を加算した日時を着目ユーザについての送信先日時ＡＴ２に決定する（＃２０３）。一方、時差ＵＩ４に格納されている値が有効な値（ユーザ間時差ＬＴＤ１）でなければ（＃２０２でＮｏ）、取得日時ＡＴ１を着目ユーザについての送信先日時ＡＴ２に決定する（＃２０４）。そして、ユーザ情報管理テーブルＵＩＴのユーザ名ＵＩ１に着目ユーザのユーザ名が示されるレコードのホスト名ＵＩ３に格納されているホスト名を有するクライアント端末２に向けて、画像ファイルＩＭＧおよび決定した送信先日時ＡＴ２を送信する（＃２０５）。なお、画像ファイルＩＭＧに含まれるファイルヘッダ領域の所定の位置に送信先日時ＡＴ２を書き込み、送信先日時ＡＴ２を画像ファイルＩＭＧの一部として送信するようにしてもよい。
【００６５】
図６はユーザ間時差ＬＴＤ１を保持する処理の流れの例を示すフローチャート、図７は画像ファイルＩＭＧに送信先日時ＡＴ２を付加して送信する処理の流れの例を示すフローチャートである。
【００６６】
上述の第一の実施形態における、画像処理装置１における全体的な処理の流れについて、図６および図７に示すフローチャートに沿って、かつ一例を交えながら説明する。
【００６７】
ここでは、図１において、拠点ＲＥＧ１では拠点ＲＥＧ２で採用されている標準時より１時間先に進んだ標準時が採用されており、拠点ＲＥＧ３では拠点ＲＥＧ２で採用されている標準時より２時間後に遅れた標準時が採用されているものとする。
【００６８】
また、画像処理装置１において、クライアント端末２Ａ、２Ｂ、２Ｃをそれぞれ使用するユーザである、ｕｓｅｒ１、ｕｓｅｒ２、ｕｓｅｒ３が適切に登録されているものとする。
【００６９】
まず、ユーザ間時差ＬＴＤ１を保持するフェーズについて説明する。
【００７０】
図６に示すように、画像処理装置１は、各クライアント端末２Ａ〜２Ｃへそれぞれで計時されている現在日時であるユーザ現在日時ＬＴ２を問い合わせ、取得する（＃３０１）。例えば、ユーザ現在日時ＬＴ２として、クライアント端末２Ａから１１時００分０１秒を、クライアント端末２Ｂから１０時００分０１秒を、クライアント端末２Ｃから０８時００分０１秒を、それぞれ同時に取得する。
【００７１】
そして、取得した各ユーザ現在日時ＬＴ２について、自己が計時している現在日時である自己現在日時ＬＴ１との時間差であるユーザ間時差ＬＴＤ１を算出する（＃３０２）。例えば、自己現在日時ＬＴ１が１０時００分０１秒であり、先ほどの例に示した各ユーザ現在日時ＬＴ２を取得した場合、ユーザ間時差ＬＴＤ１として、クライアント端末２Ａについてはプラス０１時間００分００秒を、クライアント端末２Ｂについてはマイナス００時間００分００秒を、クライアント端末２Ｃについてマイナス０２時間００分００秒を、それぞれ算出する。
【００７２】
そして、算出した各ユーザ間時差ＬＴＤ１をクライアント端末２Ａ〜２Ｃ（それらを使用するｕｓｅｒ１〜ｕｓｅｒ３）にそれぞれ対応付けて保持する（＃３０３）。
【００７３】
次に、画像ファイルＩＭＧに送信先日時ＡＴ２を付加して送信するフェーズについて説明する。
【００７４】
ここでは、拠点ＲＥＧ２に勤務するユーザであるｕｓｅｒ０が、ｕｓｅｒ１ないしｕｓｅｒ３に配付物を配付するために、画像処理装置１によって、配付物のドキュメントを読み込んで画像ファイルＩＭＧを生成し、ネットワークＮＷを介してクライアント端末２Ａ〜２Ｃへ一斉に送信する（同報する）場合を例に説明する。
【００７５】
ｕｓｅｒ０によって、「ＳｃａｎＴｏＳＭＢ機能」が選択され、配付物のドキュメントが原稿台にセットされると、図７に示すように、画像処理装置１は、それをスキャナ１０ｈにスキャンさせることによって画像ファイルＩＭＧを取得する（＃４０１）。
【００７６】
そして、ｕｓｅｒ０によって、画像ファイルＩＭＧの送信先のユーザとして、ｕｓｅｒ１〜ｕｓｅｒ３が選択されると、各送信先のユーザごとに、画像ファイルＩＭＧを取得した日時を示す取得日時ＡＴ１に対して送信先のユーザについてのユーザ間時差ＬＴＤ１を考慮した日時である送信先日時ＡＴ２を算出する（＃４０２）。例えば、取得日時ＡＴ１が１０時３１分２８秒であり、取得日時ＡＴ１に対して先ほどの例に示した各ユーザ間時差ＬＴＤ１を考慮した場合、送信先日時ＡＴ２として、ｕｓｅｒ１については１１時３１分２８秒を、ｕｓｅｒ２については１０時３１分２８秒を、ｕｓｅｒ３については０８時３１分２８秒を、それぞれ算出する。
【００７７】
そして、算出した、ｕｓｅｒ１、ｕｓｅｒ２、ｕｓｅｒ３についての送信先日時ＡＴ２を、それぞれクライアント端末２Ａ、２Ｂ、２Ｃへ画像ファイルＩＭＧとともに送信する（＃４０３）。
【００７８】
図８はクライアント端末２で管理されるファイル管理テーブルＦＩの例を示す図、図９はクライアント端末２のディスプレイに表示されるファイル一覧画面ＷＤ２１の例を示す図である。
【００７９】
上述の第一の実施形態によれば、クライアント端末２は、画像処理装置１から受信した画像ファイルＩＭＧを、図８に示すようなファイル管理テーブルＦＩを用いて保存し管理する場合に、ともに送信されてきた送信先日時ＡＴ２をファイル管理テーブルＦＩの「更新日時」に設定する。
【００８０】
その結果、異なる時差のある地域に設置されている複数の画像処理装置１から受信した複数の画像ファイルＩＭＧについて、図９に示すように、それらに関連付けられている「更新日時」に示される順序で並び替えて表示させたとき、それらのファイルの並び順は、画像処理装置１が実際にそれらのファイルを取得（生成）した順序となる。よって、受信した画像ファイルＩＭＧをクライアント端末２において管理する上で好都合である。
【００８１】
また、異なる時差のある地域に設置されている画像処理装置１から受信した画像ファイルＩＭＧとクライアント端末２において作成した画像ファイルとについて、図９に示すように、それらに関連付けられている「更新日時」に示される順序で並び替えて表示させたとき、それらのファイルの並び順は、クライアント端末２が実際にそれらのファイルを取得（生成）した順序となる。例えば、画像処理装置１から受信した画像ファイルＩＭＧに関連付けられた「更新日時」がクライアント端末２で計時されている日時よりも２時間進んでいる場合に、画像ファイルＩＭＧを受信した後２時間以内にクライアント端末２において作成した画像ファイルよりも画像ファイルＩＭＧが新しいファイルとして認識される、といった事態を防止することができる。
【００８２】
なお、クライアント端末２のファイル管理方法によっては、送信先日時ＡＴ２が「作成日時」または「アクセス日時」などのファイル管理テーブルＦＩの他の項目に設定されるようにしてもよい。
〔第二の実施形態〕
図１０は画像データ送受信システムＳＹ２の全体的な構成の例を示す図である。
【００８３】
図１０に示すように、画像データ送受信システムＳＹ２は、画像処理装置１、クライアント端末２、およびディレクトリサーバ３がネットワークＮＷに接続されて構成されている。つまり、本実施形態では、第一の実施形態における画像データ送受信システムＳＹ１の構成に新たにディレクトリサーバ３が追加されており、ディレクトリサーバ３は拠点ＲＥＧ１においてネットワークＮＷに設置されている。
【００８４】
拠点ＲＥＧ１ないしＲＥＧ３の条件、ネットワークＮＷの形態、画像処理装置１のハードウェア構成、クライアント端末２のハードウェア構成などは、第一の実施形態における場合と同様であるため、説明を省略する。
【００８５】
ディレクトリサーバ３は、ネットワーク上に存在する種々の資源（リソース）およびプログラムまたはデータなどの種々の情報を一元管理する機能（ディレクトリサービス機能）を備えた装置である。特に本実施形態では、ネットワークＮＷを利用するユーザがディレクトリサーバ３で管理しているドメインに参加（ログイン）した履歴に関する情報を管理する。
【００８６】
ディレクトリサーバ３は、ＣＰＵ、ＲＡＭ、ＲＯＭ、補助記憶装置、ネットワークインタフェース、および時計装置などによって構成される。補助記憶装置には、ディレクトリサービスを提供するためのプログラムが格納されており、ＣＰＵによって実行される。
【００８７】
図１１は画像処理装置１の機能的構成の例を示すブロック図である。
【００８８】
画像処理装置１のＲＯＭ１０ｃには、図１１に示すような、ユーザ情報管理部１０１、ユーザ認証部１０２、ユーザログイン日時取得部１１１、ユーザ間時差算出部１１２、画像ファイル取得部１０５、送信先情報作成部１０６、画像ファイル送信部１０７などの各機能部を実現するためのプログラムが格納されており、ＣＰＵ１０ａによって実行される。または、それらのプログラムの一部または全部が補助記憶装置１０ｄに格納されていてもよい。その場合は必要に応じてＲＡＭ１０ｂに読み出されて実行される。
【００８９】
ＲＯＭ１０ｃまたは補助記憶装置１０ｄには、そのほかファイル管理システムの機能を実現するためのプログラムが記憶されていること、および図１１に示す各部の機能およびそのほかの機能の一部または全部が回路で実現されていてもよいことは、第一の実施形態における場合と同様である。
【００９０】
第一の実施形態では、画像処理装置１は、各ユーザが使用するクライアント端末２から直接取得したユーザ現在日時ＬＴ２に基づいてユーザ間時差ＬＴＤ１を算出したが、第二の実施形態では、各ユーザがクライアント端末２よりディレクトリサーバ３にログインした際の日時を示す情報をディレクトリサーバ３から取得し、それに基づいてユーザ間時差ＬＴＤ１を算出する。
【００９１】
つまり、第二の実施形態では、画像処理装置１は、図１１に示す各機能部を連携させることによって、各ユーザがクライアント端末２からディレクトリサーバ３にログインした際の日時を示す情報であるユーザ設定ログイン日時ＲＴ２およびサーバ設定ログイン日時ＲＴ３、並びにディレクトリサーバ３で計時されている現在日時であるサーバ現在日時ＬＴ３に基づいてユーザ間時差ＬＴＤ１を算出する。
【００９２】
なお、算出したユーザ間時差ＬＴＤ１をユーザ情報管理テーブルＵＩＴに保持しておくこと、および各ユーザが使用するクライアント端末２へ画像ファイルＩＭＧを送信する際にユーザ間時差ＬＴＤ１を考慮した日時情報（タイムスタンプ）である送信先日時ＡＴ２を画像ファイルＩＭＧに関連付けて送信することは、第一の実施形態における場合と同様である。
【００９３】
よって、第一の実施形態と異なる部分を中心に、ユーザ間時差ＬＴＤ１をユーザ情報管理テーブルＵＩＴに保持するフェーズにおいて、図１１に示す各機能部が果たす役割を、説明する。
【００９４】
図１２はディレクトリサーバ３が管理するログイン履歴テーブルＲＨＴの一例を示す図である。
【００９５】
ディレクトリサーバ３は、図１２に示すようなログイン履歴テーブルＲＨＴを用いて、ネットワークＮＷを利用するユーザがディレクトリサーバ３で管理しているドメインに参加（ログイン）した履歴に関する情報を次のように管理している。
【００９６】
ディレクトリサーバ３は、ドメインへの参加をユーザに承認する際に、そのユーザについての新たなレコードをログイン履歴テーブルＲＨＴに追加する。１つのレコードは、ユーザ名ＲＨ１、ドメイン名ＲＨ２、コンピュータ名ＲＨ３、ユーザ設定ログイン日時ＲＨ４、サーバ設定ログイン日時ＲＨ５など、参加の要求を行ったユーザに関する情報を格納する各フィールドから構成される。ユーザ名ＲＨ１には、参加の要求を行ったユーザのユーザ名を設定する。ドメイン名ＲＨ２には、参加の要求の対象となったドメインのドメイン名を設定する。コンピュータ名ＲＨ３には、参加の要求が発信されたクライアント端末２のホスト名を設定する。ユーザ設定ログイン日時ＲＨ４には、参加の承認を行った時点でクライアント端末２で計時されている現在日時を設定する。サーバ設定ログイン日時ＲＨ５には、参加の承認を行った時点でディレクトリサーバ３自身が計時している現在日時を設定する。
【００９７】
ユーザ情報管理部１０１は、第一の実施形態における場合と同様に、図４に示すようなユーザ情報管理テーブルＵＩＴを用いて、画像処理装置１に登録されている（画像ファイルＩＭＧの送信先となり得る）ユーザに関する情報を保持する。
【００９８】
ユーザログイン日時取得部１１１は、ユーザ情報管理テーブルＵＩＴのユーザ名ＵＩ１に格納されている各ユーザ名ごとに、そのユーザ名についてのユーザ設定ログイン日時ＲＴ２およびサーバ設定ログイン日時ＲＴ３、並びにサーバ現在日時ＬＴ３を問い合わせるためのユーザログイン日時問合せメッセージＴＲ３をディレクトリサーバ３へ定期的（例えば、１時間おき）に送信する。
【００９９】
画像処理装置１からユーザログイン日時問合せメッセージＴＲ３を受信したディレクトリサーバ３は、問い合わせのあったユーザ名についてのユーザ設定ログイン日時ＲＴ２およびサーバ設定ログイン日時ＲＴ３、並びにサーバ現在日時ＬＴ３を次のようにして返信する。
【０１００】
ディレクトリサーバ３は、画像処理装置１からユーザログイン日時問合せメッセージＴＲ３を受信すると、ログイン履歴テーブルＲＨＴを参照し、問い合わせのあったユーザ名がユーザ名ＲＨ１に示されるレコードのうち最新のレコードを特定する。そして、特定したレコードからユーザ設定ログイン日時ＲＨ４に格納されている日時、サーバ設定ログイン日時ＲＨ５に格納されている日時を抽出して、それぞれをユーザ設定ログイン日時ＲＴ２、サーバ設定ログイン日時ＲＴ３として返信する。また、自己が計時している現在日時をサーバ現在日時ＬＴ３として返信する。
【０１０１】
ユーザログイン日時取得部１１１は、ディレクトリサーバ３から受信したユーザ設定ログイン日時ＲＴ２、サーバ設定ログイン日時ＲＴ３、およびサーバ現在日時ＬＴ３をユーザ間時差算出部１１２に渡す。
【０１０２】
ユーザ間時差算出部１１２は、ユーザログイン日時取得部１１１からユーザ設定ログイン日時ＲＴ２、サーバ設定ログイン日時ＲＴ３、およびサーバ現在日時ＬＴ３を受け取ると、ユーザ間時差ＬＴＤ１を次のようにして算出する。
【０１０３】
ユーザ間時差算出部１１２は、ユーザ設定ログイン日時ＲＴ２からサーバ設定ログイン日時ＲＴ３を減算し、サーバ設定ログイン日時ＲＴ３を基準とした時間差をサーバユーザ間時差として算出する。また、画像処理装置１が計時している現在日時である自己現在日時ＬＴ１を時計装置１０ｋから取得し、サーバ現在日時ＬＴ３から自己現在日時ＬＴ１を減算し、自己現在日時ＬＴ１を基準とした時間差を自己サーバ間時差として算出する。そして、自己サーバ間時差に対してサーバユーザ間時差を加算することによって、自己現在日時ＬＴ１を基準とした時間差をユーザ間時差ＬＴＤ１として算出する。ユーザ間時差算出部１１２は、このようにして算出したユーザ間時差ＬＴＤ１をユーザ情報管理部１０１に渡す。
【０１０４】
ユーザ情報管理部１０１は、ユーザ間時差算出部１１２からユーザ間時差ＬＴＤ１を受け取ると、ユーザ情報管理テーブルＵＩＴのユーザ名ＵＩ１にそのユーザ間時差ＬＴＤ１が算出されたユーザのユーザ名が示されるレコードの時差ＵＩ４にユーザ間時差ＬＴＤ１を設定する。ただし、既にそのレコードの時差ＵＩ４に今回設定しようとするユーザ間時差ＬＴＤ１と同じ値が格納されており、更新する必要がない場合は更新しなくてもよい。
【０１０５】
ユーザ情報管理部１０１は、このようにして、画像処理装置１に登録された各ユーザについて、定期的にユーザ情報管理テーブルＵＩＴにおいてそのユーザについての時差ＵＩ４に格納されている値を更新する。
【０１０６】
その後、送信先日時ＡＴ２を付加して画像ファイルＩＭＧを送信するプロセスは、第一の実施形態における場合と同様であるため、説明を省略する。
【０１０７】
図１３はユーザ間時差ＬＴＤ１を保持する処理の流れの例を示すフローチャートである。
【０１０８】
上述の第二の実施形態における、画像処理装置１におけるユーザ間時差ＬＴＤ１を保持する処理の流れについて、図１３に示すフローチャートに沿って、かつ一例を交えながら説明する。
【０１０９】
ここでも、図１において、拠点ＲＥＧ１では拠点ＲＥＧ２で採用されている標準時より１時間先に進んだ標準時が採用されており、拠点ＲＥＧ３では拠点ＲＥＧ２で採用されている標準時より２時間後に遅れた標準時が採用されているものとする。
【０１１０】
また、画像処理装置１において、クライアント端末２Ａ、２Ｂ、２Ｃをそれぞれ使用するユーザである、ｕｓｅｒ１、ｕｓｅｒ２、ｕｓｅｒ３が適切に登録されているものとする。
【０１１１】
図１３に示すように、画像処理装置１は、ディレクトリサーバ３へ、ｕｓｅｒ１〜ｕｓｅｒ３が各クライアント端末２Ａ〜２Ｃからディレクトリサーバ３にログインした際の日時に関する情報であるユーザ設定ログイン日時ＲＴ２およびサーバ設定ログイン日時ＲＴ３、並びにディレクトリサーバ３で計時されている現在日時であるサーバ現在日時ＬＴ３を問い合わせ、取得する（＃５０１）。例えば、ｕｓｅｒ１について、ユーザ設定ログイン日時ＲＴ２として０８時４８分２３秒を、サーバ設定ログイン日時ＲＴ３として０８時４８分２３秒を、サーバ現在日時として１２時００分０１秒を取得する。同時に、ｕｓｅｒ２について、ユーザ設定ログイン日時ＲＴ２として０８時４６分２５秒を、サーバ設定ログイン日時ＲＴ３として０９時４６分２５秒を、サーバ現在日時として１２時００分０１秒を取得する。同時に、ｕｓｅｒ３について、ユーザ設定ログイン日時ＲＴ２として０８時３９分２４秒を、サーバ設定ログイン日時ＲＴ３として１１時３９分２４秒を、サーバ現在日時として１２時００分０１秒を取得する。
【０１１２】
そして、各ユーザごとに、自己が計時している現在日時である自己現在日時ＬＴ１との時間差であるユーザ間時差ＬＴＤ１を算出する（＃５０２）。例えば、自己現在日時ＬＴ１が１１時００分０１秒であり、先ほどの例に示した各ユーザについてのユーザ設定ログイン日時ＲＴ２およびサーバ設定ログイン日時ＲＴ３、並びにサーバ現在日時ＬＴ３を取得した場合、ユーザ間時差ＬＴＤ１として、ｕｓｅｒ１についてはプラス１時間（（１２時００分０１秒−１１時００分０１秒）＋（０８時４８分２３秒−０８時４８分２３秒））を、ｕｓｅｒ２についてはマイナス０時間（（１２時００分０１秒−１１時００分０１秒）＋（０８時４６分２５秒−０９時４６分２５秒））を、ｕｓｅｒ３についてマイナス２時間（（１２時００分０１秒−１１時００分０１秒）＋（０８時３９分２４秒−１１時３９分２４））を、それぞれ算出する。
【０１１３】
そして、算出した各ユーザ間時差ＬＴＤ１をｕｓｅｒ１〜ｕｓｅｒ３にそれぞれ対応付けて保持する（＃５０３）。
【０１１４】
上述の第二の実施形態によれば、画像処理装置１は、各クライアント端末２に直接設定日時を問い合わせることなく、ディレクトリサーバ３にそれらのログイン日時を問い合わせるだけで、ユーザ間時差ＬＴＤ１を算出することができる。よって、画像処理装置１に登録された各ユーザが各クライアント端末２から画像処理装置１にログインしていなくても、ディレクトリサーバ３が管理しているドメインに参加してさえいれば、上述の第一の実施形態と同様の効果が得られる。また、１人のユーザが、図１に示すような時差のある拠点ＲＥＧ１〜ＲＥＧ３を頻繁に移動し、各移動先で携帯型のクライアント端末２からディレクトリサーバ３が管理しているドメインに参加して接続するような場合にも有用である。そのユーザは、クライアント端末２の時刻設定を各移動先で採用されている標準時に合わせた後にディレクトリサーバ３が管理しているドメインに参加すれば、画像処理装置１は、一定期間経過後に、ユーザ情報管理テーブルＵＩＴにおいてそのユーザについての時差ＵＩ４に格納されている値をその標準時に見合った時差に更新することができるからである。
【０１１５】
なお、上述の第一および第二の実施形態では、ユーザ間時差算出部１０４、画像ファイル取得部１０５、およびユーザ間時差算出部１１２は、時計装置１０ｋから直接自己現在日時ＬＴ１を取得する構成としたが、ソフトウェアにより時計機能を実現するモジュール（ソフトウェアクロック）を設け、そのようなモジュールから自己現在日時ＬＴ１を取得するようにしてもよい。その場合は、画像処理装置１の起動時に時計装置１０ｋで計時されている現在日時をそのようなモジュールに引き継ぐようにすればよい。
【０１１６】
また、上述の第一および第二の実施形態では、ユーザ間時差算出部１０４およびユーザ間時差算出部１１２は、ユーザ間時差ＬＴＤ１の単位を時分秒まで算出する構成としたが、３０分または１時間などの単位で時間差を算出するようにしてもよい。つまり、それらの単位以内に収まる時間差は丸めてユーザ間時差ＬＴＤ１などを算出するようにしてもよい。例えば、３０分単位で時間差を算出するようにした場合、１０時００分００秒と１３時１５分４８秒との正確な時間差は３時間１５分４８秒であるが丸められて３時間と算出される。
【０１１７】
また、上述の第一および第二の実施形態では、画像ファイル取得部１０５は、スキャナ１０ｈによって生成された画像データがファイル化された画像ファイルＩＭＧを取得する構成としたが、ユーザが選択した取得方法に応じて、補助記憶装置１０ｄ内のボックスに保存されている画像ファイルＩＭＧ、ネットワークＮＷに接続されている他の情報処理端末から受信した画像ファイルＩＭＧ、または他のＦＡＸ端末から受信したデータにより生成された画像ファイルＩＭＧなどを適宜取得することができる。
【０１１８】
また、上述の第一および第二の実施形態では、画像処理装置１は、スキャナ１０ｈから画像ファイルＩＭＧを取得した際の日時を示す日時情報を画像ファイルＩＭＧに関連付けて送信する構成としたが、画像ファイルＩＭＧをクライアント端末２へ送信する際の日時を示す日時情報を送信するようにしてもよい。
【０１１９】
また、上述の第一および第二の実施形態では、画像処理装置１は、ユーザ情報管理テーブルＵＩＴの時差ＵＩ４に有効な値（ユーザ間時差ＬＴＤ１）が格納されていれば必然的に取得日時ＡＴ１に対してその値（ユーザ間時差ＬＴＤ１）を加味した日時を送信先日時ＡＴ２に決定する構成としたが、たとえ時差ＵＩ４に有効な値（ユーザ間時差ＬＴＤ１）が格納されていても、送信元または送信先のユーザにより選択された設定（例えば、ユーザ間時差ＬＴＤ１を考慮しないことを希望する旨の設定）に基づいて、取得日時ＡＴ１を送信先日時ＡＴ２に決定するようにしてもよい。その場合は、送信先のユーザにより選択された設定を格納するフィールドをユーザ情報管理テーブルＵＩＴに設けるようにすればよい。
【０１２０】
また、上述の第一の実施形態では、ユーザ情報管理部１０１は、画像処理装置１に登録された各ユーザが各クライアント端末２から画像処理装置１にログインするタイミングで、ユーザ情報管理テーブルＵＩＴの時差ＵＩ４に格納されている値を更新する構成としたが、ユーザ設定日時取得部１０３およびユーザ間時差算出部１０４によって定期的（例えば、１時間おき）にユーザ間時差ＬＴＤ１を算出し、時差ＵＩ４に格納されている値を定期的に更新するようにしてもよい。
【０１２１】
また、上述の第一の実施形態では、ユーザ設定日時取得部１０３は、画像処理装置１に登録されたユーザが使用するクライアント端末２で計時されている現在日時をユーザ現在日時ＬＴ２として取得する構成としたが、ユーザによって直接入力され、または遠隔より送信されたユーザが所望する現在日時をユーザ現在日時ＬＴ２として取得するようにしてもよい。または、ユーザが使用するクライアント端末２から受信した印刷データ（プリントデータ）を解析し、それに含まれる日時を示す情報に基づいてユーザ現在日時ＬＴ２を取得するようにしてもよい。
【０１２２】
また、上述の第一の実施形態では、ユーザ情報管理部１０１は、ユーザ情報管理テーブルＵＩＴにおいてユーザについての時差ＵＩ４を管理する構成としたが、時差ＵＩ４の代わりにまたはそれに追加してユーザが使用するクライアント端末２で計時されている現在時刻を管理するようにしてもよい。その場合は、ユーザ間時差算出部１０４は、ユーザ設定日時取得部１０３を介することなく、ユーザ間時差ＬＴＤ１を算出することができる。
【０１２３】
また、上述の第二の実施形態では、画像処理装置１は、画像処理装置１に登録されている（画像ファイルＩＭＧの送信先となり得る）ユーザに関する情報を自己で保持する構成としたが、そのような情報をディレクトリサーバ３に保持させるようにしてもよい。その場合は、ディレクトリサーバ３の側で、各ユーザが使用するクライアント端末２で計時されている現在日時とディレクトリサーバ３自身が計時している現在日時との時間差であるサーバユーザ間時差を各ユーザごとに算出し保持するようにし、画像処理装置１は、画像ファイルＩＭＧを送信する際に、ディレクトリサーバ３から画像ファイルのＩＭＧの送信先となるユーザについてのサーバユーザ間時差およびサーバ現在日時ＬＴ３を取得し、それらに基づいて送信先日時ＡＴ２を算出するようにすればよい。
【０１２４】
上述の実施例において、ネットワークＮＷ、画像処理装置１、クライアント端末２、およびディレクトリサーバ３の全体または各部の構成は、本発明の主旨に沿って適宜変更することができる。また、それらによって行われる処理内容、処理順序、テーブルの構成なども、本発明の趣旨に沿って適宜変更することができる。
【符号の説明】
【０１２５】
１  画像処理装置（画像データ送信装置）
２  クライアント端末（情報処理端末）
３  ディレクトリサーバ（サーバ）
１０４  ユーザ間時差算出部（時差取得手段）
１０７  画像ファイル送信部（画像データ送信手段）
１１２  ユーザ間時差算出部（時差取得手段）
ＡＴ１  取得日時（画像データを取得した時点についての送信元の日時）
ＡＴ２  送信先日時（変換した日時）
ＬＴ１  自己現在日時（画像データ送信装置に設定されている日時）
ＬＴ２  ユーザ現在日時（情報処理端末に設定されている日時）
ＬＴ３  サーバ現在日時（サーバに設定されている日時）
ＬＴＤ１  ユーザ間時差（時差）
ＩＭＧ  画像ファイル（画像データ）
ＮＷ  ネットワーク
【図１】
2010273003.tif 000003
【図２】
2010273003.tif 000004
【図３】
2010273003.tif 000005
【図４】
2010273003.tif 000006
【図５】
2010273003.tif 000007
【図６】
2010273003.tif 000008
【図７】
2010273003.tif 000009
【図８】
2010273003.tif 000010
【図９】
2010273003.tif 000011
【図１０】
2010273003.tif 000012
【図１１】
2010273003.tif 000013
【図１２】
2010273003.tif 000014
【図１３】
2010273003.tif 000015